(57)【要約】【課題】通信パスを介して授受されるデータをモニタする場合に、パス切替えによってパケットデータの遅延が生じることはなく、通信品質が劣化しないようにする。【解決手段】無音パターン高速検出回路２２６でデータの無音部分を検出し、無音部分が検出されたことに応答してデータの宛先アドレスを、通信モニタ装置３２を経由するアドレスに変更する。このアドレスの変更によって切替えられた通信パスを介して通信モニタ装置３２がデータをモニタする。【効果】無音部分の検出に応答して、データの宛先アドレスを、通信モニタ装置３２を経由するアドレスに変更することにより、通信モニタ装置においては、アドレスの変更によって切替えられた通信パスを介してデータをモニタすることができ、しかも通信品質は品質劣化しない【選択図】      図１
2006074364.tif 000002
【特許請求の範囲】
【請求項１】
通信パスを介して授受されるデータをモニタする通信モニタシステムであって、前記データの無音部分を検出する無音検出手段と、前記無音検出手段によって無音部分が検出されたことに応答して前記データの宛先アドレスを、通信モニタ装置を経由するアドレスに変更するアドレス変更手段とを含み、前記通信モニタ装置においては、前記アドレス変更手段によるアドレスの変更によって切替えられた通信パスを介して前記データをモニタすることを特徴とする通信モニタシステム。
【請求項２】
前記無音検出手段は、予め定義された無音パターンと通信パスを介して授受されるデータに含まれているパターンとを比較することによって、無音部分を検出することを特徴とする請求項１記載の通信モニタシステム。
【請求項３】
前記データに付与されているシーケンスナンバに基づいて、前記通信パスの切替え前後におけるデータの受信順序を保つように制御する手段を更に含むことを特徴とする請求項１又は２記載の通信モニタシステム。
【請求項４】
通信パスを介して授受されるデータをモニタする通信モニタシステムであって、モニタすべきデータが経由するノードに関する呼情報を取得する呼情報取得手段と、前記呼情報取得手段により取得した呼情報を用いて前記データの宛先アドレスを、通信モニタ装置のアドレスを含むマルチキャストアドレスに変換するアドレス変換手段とを含み、前記通信モニタ装置においては、マルチキャスト送信されるデータをモニタすることを特徴とする通信モニタシステム。
【請求項５】
前記アドレス変換手段は、モニタすべきデータを受信する移動端末のハンドオーバーに伴って通知される情報に応じて、前記データの宛先アドレスを新たなマルチキャストアドレスに変換することを特徴とする請求項４記載の通信モニタシステム。
【請求項６】
通信パスを介して授受されるデータをモニタする通信モニタ方法であって、前記データの無音部分を検出する無音検出ステップと、前記無音検出ステップにおいて無音部分が検出されたことに応答して前記データの宛先アドレスを、通信モニタ装置を経由するアドレスに変更するアドレス変更ステップと、前記アドレス変更ステップによるアドレスの変更によって切替えられた通信パスを介して前記通信モニタ装置が前記データをモニタするステップとを含むことを特徴とする通信モニタ方法。
【請求項７】
通信パスを介して授受されるデータをモニタする通信モニタ方法であって、モニタすべきデータが経由するノードに関する呼情報を取得する呼情報取得ステップと、前記呼情報取得ステップにおいて取得した呼情報を用いて前記データの宛先アドレスを、通信モニタ装置のアドレスを含むマルチキャストアドレスに変換するアドレス変換ステップと、マルチキャスト送信されるデータをモニタするステップとを含むことを特徴とする通信モニタ方法。
【発明の詳細な説明】
【技術分野】
【０００１】
本発明は通信モニタシステム、通信モニタ方法に関し、特にデータ処理を行う交換機とは別に通信モニタ機能を集中配備する通信モニタ装置で通信モニタを実現する通信モニタシステム、通信モニタ方法に関する。
【背景技術】
【０００２】
パケット通信に利用される通信パスをモニタする場合について、図７を参照して説明する。同図においては、端末装置１１と、端末装置１４とが、交換機２２、ＩＰ網１００、交換機２３を介して通信を行っている。この状態において、通信モニタを行うために、ルートを変更するには、以下のような制御を行う必要がある。
（１）モニタ対象交換機（ここでは交換機２３）の配下の端末装置１４へのデータ通信パスを確認するために、モニタ受信装置３１からコマンドを投入する。
（２）ＩＰアドレス等のデータ通信パス情報が、交換機２３からモニタ受信装置３１へ送信される。
（３）該当データ通信パスが収容されている交換機２３に対し、通信モニタ機能の起動をモニタ受信装置３１から要求する。
【０００３】
以上の制御を行うことにより、交換機２２から交換機２３へ送信されるデータは、通信モニタ装置を介してモニタ受信装置３１に入力される。すなわち、通信モニタの開始前はＩＰ網１００を介して交換機２２から交換機２３へパケットが送られていたのに対し、通信モニタの開始後は図８に示されているようにＩＰ網１００から通信モニタ装置３２へパケットが送られる。よって、図９に示されているように、通信モニタ装置３２でマルチパス接続が行われることにより、モニタ受信装置３１にもパケットＰ２’…が送られる。これにより、モニタ受信装置３１では、通信モニタを実現することができる。
【０００４】
ところで、障害発生時に無瞬断で通信パスを切替えることについては、特許文献１に記載されている。特許文献１では、パスの切替えタイミングによる主信号データへの影響をなくす技術が記載されている。
【特許文献１】特開２０００−３３２７７１号公報
【発明の開示】
【発明が解決しようとする課題】
【０００５】
上述したように通信モニタを行うと、交換機２２と交換機２３との間の双方向通信パスを、交換機２２から通信モニタ装置３２までのパスと交換機２３から通信モニタ装置３２までのパスとに切替えた直後、空白の時間が発生する。この空白の時間は、双方向の通信それぞれで発生する。
図８に示されているように、パケットＰ１については、交換機２２から交換機２３にそのまま送られる。これに対し、それに続くパケットＰ２、Ｐ３…については、通信モニタ装置３２を経由したパスにより、交換機２２から交換機２３に送られる。
【０００６】
このとき、パケットの送信間隔Ｔ０秒後には、交換機２３にパケットＰ２が到着しているはずであるが、通信モニタ装置３２を経由するためにまだ到着していない。したがって、交換機２３配下の端末装置では無音を聞くことになり、この品質劣化が問題となる。このような問題点は、特許文献１に記載されている技術によって解決することはできない。
本発明は上述した従来技術の問題点を解決するためになされたものであり、その目的は通信品質劣化を招くことなく通信モニタを行うことのできる通信モニタシステムを提供することである。
【課題を解決するための手段】
【０００７】
本発明の請求項１による通信モニタシステムは、通信パスを介して授受されるデータをモニタする通信モニタシステムであって、前記データの無音部分を検出する無音検出手段と、前記無音検出手段によって無音部分が検出されたことに応答して前記データの宛先アドレスを、通信モニタ装置を経由するアドレスに変更するアドレス変更手段とを含み、前記通信モニタ装置においては、前記アドレス変更手段によるアドレスの変更によって切替えられた通信パスを介して前記データをモニタすることを特徴とする。無音部分の検出に応答して、データの宛先アドレスを、通信モニタ装置を経由するアドレスに変更することにより、通信モニタ装置においては、アドレスの変更によって切替えられた通信パスを介してデータをモニタすることができ、しかもパス切替えによってパケットデータの遅延が生じることはなく、品質劣化しない。
【０００８】
本発明の請求項２による通信モニタシステムは、請求項１において、前記無音検出手段は、予め定義された無音パターンと通信パスを介して授受されるデータに含まれているパターンとを比較することによって、無音部分を検出することを特徴とする。こうすることにより、予め定義された無音パターンがデータ中に含まれているかどうかを容易に判断できる。
【０００９】
本発明の請求項３による通信モニタシステムは、請求項１又は２において、前記データに付与されているシーケンスナンバに基づいて、前記通信パスの切替え前後におけるデータの受信順序を保つように制御する手段を更に含むことを特徴とする。こうすることにより、データの待ち合わせ処理などを行うことができ、データの受信順序を保つことができる。
【００１０】
本発明の請求項４による通信モニタシステムは、通信パスを介して授受されるデータをモニタする通信モニタシステムであって、モニタすべきデータが経由するノードに関する呼情報を取得する呼情報取得手段と、前記呼情報取得手段により取得した呼情報を用いて前記データの宛先アドレスを、通信モニタ装置のアドレスを含むマルチキャストアドレスに変換するアドレス変換手段とを含み、前記通信モニタ装置においては、マルチキャスト送信されるデータをモニタすることを特徴とする。取得した呼情報を用いてデータの宛先アドレスを、通信モニタ装置のアドレスを含むマルチキャストアドレスに変換することにより、通信モニタ装置においては、マルチキャスト送信されるデータをモニタすることができる。
【００１１】
本発明の請求項５による通信モニタシステムは、請求項４において、前記アドレス変換手段は、モニタすべきデータを受信する移動端末のハンドオーバーに伴って通知される情報に応じて、前記データの宛先アドレスを新たなマルチキャストアドレスに変換することを特徴とする。通信モニタの最中に、移動端末がハンドオーバーすることによって異なるエリアに位置することとなっても、ハンドオーバーに伴って移動端末から通知される情報に応じて、データの宛先アドレスを新たなマルチキャストアドレスに変換することにより、通信モニタを継続することができる。
【００１２】
本発明の請求項６による通信モニタ方法は、通信パスを介して授受されるデータをモニタする通信モニタ方法であって、前記データの無音部分を検出する無音検出ステップと、前記無音検出ステップにおいて無音部分が検出されたことに応答して前記データの宛先アドレスを、通信モニタ装置を経由するアドレスに変更するアドレス変更ステップと、前記アドレス変更ステップによるアドレスの変更によって切替えられた通信パスを介して前記通信モニタ装置が前記データをモニタするステップとを含むことを特徴とする。無音部分の検出に応答して、データの宛先アドレスを、通信モニタ装置を経由するアドレスに変更することにより、通信モニタ装置においては、アドレスの変更によって切替えられた通信パスを介してデータをモニタすることができ、しかもパス切替えによってパケットデータの遅延が生じることはなく、品質劣化しない。
【００１３】
本発明の請求項７による通信モニタ方法は、通信パスを介して授受されるデータをモニタする通信モニタ方法であって、モニタすべきデータが経由するノードに関する呼情報を取得する呼情報取得ステップと、前記呼情報取得ステップにおいて取得した呼情報を用いて前記データの宛先アドレスを、通信モニタ装置のアドレスを含むマルチキャストアドレスに変換するアドレス変換ステップと、マルチキャスト送信されるデータをモニタするステップとを含むことを特徴とする。取得した呼情報を用いてデータの宛先アドレスを、通信モニタ装置のアドレスを含むマルチキャストアドレスに変換することにより、通信モニタ装置においては、マルチキャスト送信されるデータをモニタすることができる。
【発明の効果】
【００１４】
以上説明したように本発明は、データの無音部分を検出し、この検出されたことに応答してデータの宛先アドレスを、通信モニタ装置を経由するアドレスに変更することにより、通信モニタ装置においては、アドレスの変更によって切替えられた通信パスを介してデータをモニタすることができ、しかもパス切替えによってパケットデータの遅延が生じることはなく、品質劣化しないという効果がある。
【００１５】
また、移動端末へ送信されるデータについてモニタする場合、モニタすべきデータが経由するノードに関する呼情報を取得し、この取得した呼情報を用いてデータの宛先アドレスを、通信モニタ装置のアドレスを含むマルチキャストアドレスに変換することにより、通信モニタ装置においては、マルチキャスト送信されるデータをモニタすることができるという効果がある。
【００１６】
さらに、通信モニタの最中に、移動端末がハンドオーバーすることによって異なるエリアに位置することとなっても、ハンドオーバーに伴って移動端末から通知される情報に応じて、データの宛先アドレスを新たなマルチキャストアドレスに変換することにより、通信モニタを継続することができるという効果がある。
【発明を実施するための最良の形態】
【００１７】
以下、本発明の実施の形態を、図面を参照して説明する。なお、以下の説明において参照する各図では、他の図と同等部分は同一符号によって示されている。
ここでは、データの無音部分を検出し、その部分を利用してパスを切替える場合、マルチキャスト機能を利用してパスを切替える場合についてそれぞれ説明した後、移動端末へのパスをモニタする場合におけるハンドオーバーへの対応について言及する。
【００１８】
１．無音部分を利用する場合
送信側の交換機において、データの無音部分を検出し、その無音部分においてパスの切替えを行うことにより、通信品質を保持しながらスムーズに切替えることができる。
具体的な構成について、図１を参照して説明する。同図においては、送信側の交換機２２と、受信側の交換機２３と、通信モニタ装置３２と、モニタ受信装置３１とが、ＩＰ網１００を介してパケットデータを送受信する場合の構成例が示されている。
【００１９】
送信側の交換機２２は、データを入力するための入力インタフェース（ＩＦ）２２１と、データを一旦蓄えるためのバッファ２２２と、データを出力するための出力インタフェース２２３と、各部を制御するための制御部２２４と、加入者情報テーブル２２５と、データの無音部分を検出するための無音パターン高速検出回路２２６とを含んで構成されている。
【００２０】
加入者情報テーブル２２５は、図２に記載されているように、「基本契約番号（端末番号）」、「宛先アドレス（次ノード）」、「サービス種別」、「モニタフラグ」の各項目によって構成されている。
「基本契約番号（端末番号）」には、例えば、携帯電話機において使用される電話番号「０９０−ｘｘｘｘ−ｘｘｘｘ」が格納される。「宛先アドレス（次ノード）」には、例えば、ＩＰアドレス、及び、ＵＤＰポート番号、が格納される。「サービス種別」には、例えば、「音声」を示す情報が格納される。「モニタフラグ」には、例えば、「モニタ中」を示す情報が格納される。
【００２１】
無音パターン高速検出回路２２６は、図示せぬメモリと、比較回路とを含んで構成されている。音声の無音となるパターンが明らかである場合（例えばＦＦ…Ｆ）に、このパターンがメモリに予め記憶されている。そして、この記憶されているパターンとバッファに蓄えられているデータパターンとを比較することにより、無音部分を検出する。より具体的には、バッファ２２２に蓄えられている先頭のパケットのデータパターンが、メモリに記憶されているパターンと一致するかどうか比較回路で比較する。この比較の結果、両者が一致した場合は、無音部分を検出したことになる。
【００２２】
通信モニタ装置３２は、データを入力するための入力インタフェース３２１と、データを一旦蓄えるためのバッファ３２２と、データを出力するための出力インタフェース３２３と、各部を制御するための制御部３２４と、パケットデータのコピーを行うコピー部３２５と、モニタ受信装置３１にデータを出力するための出力インタフェース３２６とを含んで構成されている。
【００２３】
受信側の交換機２３は、データを入力するための入力インタフェース２３１と、データを一旦蓄えるためのバッファ２３２と、データを出力するための出力インタフェース２３３と、各部を制御するための制御部２３４と、加入者情報テーブル２３５とを含んで構成されている。
このような構成において、送受信されるパケットについて無音・有音の判定を行い、無音時にパスの切替えを行う。本例では、交換機２２で各パケットの無音パターンを検出し、パスを切替える。これにより、通信品質を保持しながらパスをスムーズに切替えることができる。
【００２４】
以上のようなパス切替え処理を行うための手順について、図１〜図４を参照して説明する。
図１において、最初に、以下の処理を行う。
（１−１）モニタ受信装置３１が送信側の交換機２２及び受信側の交換機２３に対し、モニタしたいパス情報が含まれているモニタ起動要求を送信する。
（１−２）次に、送信側の交換機２２及び受信側の交換機２３から通信モニタ装置３２ヘモニタ起動応答を返信し、モニタ受信装置３１へモニタ起動応答の返信をする。
（１−３）通信モニタ装置３２を経由するパスの設定完了後、送信側の交換機２２から無音パターンの通信データが送出された直後に、パスを切替えて通信データを通信モニタ装置３２に送信する。
【００２５】
（送信側交換機内の制御）
送信側の交換機２２内の制御について、図１を参照して説明する。送信側の交換機２２では、上記の（１−１）の処理と（１−２）の処理との間において、以下の処理が行われる。
（２−１）モニタ受信装置３１が送信側の交換機２２に対し、モニタしたいパスの情報が含まれているモニタ起動要求を送信する（Ｓ１１）。
（２−２）モニタ起動要求を受信した送信側の交換機２２における制御部２２４では、加入者情報テーブル２２５にアクセスし、該当する宛先アドレス情報を検索し、該当パスを特定する（Ｓ１２）。
【００２６】
（２−３）加入者情報テーブル２２５は、通信モニタ装置３２の宛先アドレス情報を制御部２２４に返信する（Ｓ１３）。
（２−４）新たなパスの設定準備が完了したので、送信側の交換機２２からモニタ受信装置３１へモニタ起動応答を返信する（Ｓ１４）。
（２−５）制御部２２４は、加入者情報テーブル２２５の、変更後の新たなパスに該当するエントリにモニタフラグを立てる（Ｓ１５）。
【００２７】
（２−６）送信側の交換機２２の無音パターン高速検出回路２２６において、無音データを検出すると（Ｓ１６）、上記（２−２）及び（２−３）の処理で得られた情報を基に、バッファ２２２に蓄積されているパケットデータの宛先アドレスを変更する。この場合、制御部２２４は、通信モニタ装置３２を経由するように、通信モニタ装置３２への宛先アドレスの変更を行う。
（２−７）上記（２−５）及び（２−６）の処理が完了した後、通信モニタ装置３２へデータを送信する（Ｓ１７）。
【００２８】
（受信側交換機内の制御）
受信側の交換機２３内の制御について、図３を参照して説明する。受信側の交換機２３では、上記の（１−１）の処理と（１−２）の処理との間において、以下の処理が行われる。
（３−１）モニタ受信装置３１が受信側の交換機２３に対し、モニタしたいパスの情報が含まれているモニタ起動要求を送信する（Ｓ２１）。
（３−２）モニタ起動要求を受信した受信側の交換機２３における制御部２３４では、加入者情報テーブル２３５にアクセスし該当する宛先アドレス情報を検索し、該当パスを特定する（Ｓ２２）。加入者情報テーブル２３５は、通信モニタ装置３２の宛先アドレス情報を制御部２３４に返信する（Ｓ２３）。
【００２９】
（３−３）新たなパスの設定準備が完了したので、受信側の交換機２３からモニタ受信装置３１へモニタ起動応答を返信する（Ｓ２４）。
（３−４）制御部２３４は、加入者情報テーブル２３５の、変更後の新たなパスに該当するエントリにモニタフラグを立てる（Ｓ２５）。
（３−５）上記（３−４）の処理が完了した後、通信モニタ装置３２から受信側の交換機２３へデータを送信する（Ｓ２６）。
【００３０】
（通信モニタ装置内の制御）
通信モニタ装置３２内の制御について、図４を参照して説明する。
（４−１）モニタ受信装置３１からモニタ起動要求を制御部３２４で受信した後（Ｓ３１）、コピー部３２５におけるリソースを確認し（Ｓ３２）、送信側の交換機２２及び受信側の交換機２３へ、通信モニタ装置３２のアドレス情報を送信する（Ｓ３３）。
（４−２）モニタ受信装置３１ヘモニタ起動応答の返信をする（Ｓ３４）。
【００３１】
（パス切替え後の送信側交換機におけるパケットデータ制御）
上記の処理によってパスの切替えが行われた場合、送信側の交換機２２では、以下のパケットデータ制御が行われる。すなわち、交換機２２内のバッファ２２２において、該当パケットデータのアドレスを、通信モニタ装置３２のアドレスに変換する。この変換後のパケットデータは、通信モニタ装置３２へ送信される。
【００３２】
（パス切替え後の受信側交換機におけるパケットデータ制御）
上記の処理によってパスの切替えが行われた場合、受信側の交換機２３では、以下のパケットデータ制御が行われる。
（５−１）交換機２３内のバッファ２３２において、シーケンスナンバのチェックを実施する。このチェック結果によって、以下の（５−２）又は（５−３）の処理が行われる。
（５−２）パス切替え前のシーケンスナンバ「Ｎ」のパケットの後にパス切替後のシーケンスナンバ「Ｎ＋１」のパケットが到着した場合、それをそのまま次の交換機に送信する。
【００３３】
（５−３）パス切替前のシーケンスナンバ「Ｎ」のパケットよりもパス切替後えのシーケンスナンバ「Ｎ＋１」のパケットが先に到着した場合、パス切替え前のシーケンスナンバ「Ｎ−１」のパケット到着後、一定時間待ち合わせ処理を行う。待ち合わせる時間は、パケットの送信間隔によりも少し長い時間に設定すれば良い。
そして、この待ち合わせ処理を行ってもシーケンスナンバ「Ｎ」のパケットが到着しなければ、シーケンスナンバ「Ｎ＋１」のパケットを次ノードに送信する。もし、シーケンスナンバ「Ｎ＋１」のパケットを次ノードへ送信した後に、シーケンスナンバ「Ｎ」のパケットが到着した場合、それを廃棄する。
【００３４】
（パス切替え後の通信モニタ装置におけるパケットデータ制御）
上記の処理によってパスの切替えが行われた場合、通信モニタ装置３２では、以下のパケットデータ制御が行われる。すなわち、入力インタフェース３２１を経て受信されたパケットデータは、コピー部３２５に入力される。コピー部３２５では、受信側の交換機２３及びモニタ受信装置３１へ送信するために、そのパケットデータのコピーを行う。そして、コピーされたパケットデータにアドレスを付与し、受信側の交換機２３及びモニタ受信装置３１へ送信する。
以上のように、無音部分を検出してパス切替えを行うことにより、ユーザーに対する通信品質を保持したままパス切替えを行うことができる。
【００３５】
（通信モニタ方法）
以上説明した通信モニタシステムにおいては、以下のような通信モニタ方法が実現されている。すなわち、通信パスを介して授受されるデータをモニタする通信モニタ方法であり、上記データの無音部分を検出する無音検出ステップと、上記無音検出ステップにおいて無音部分が検出されたことに応答して上記データの宛先アドレスを、通信モニタ装置を経由するアドレスに変更するアドレス変更ステップと、上記アドレス変更ステップによるアドレスの変更によって切替えられた通信パスを介して上記通信モニタ装置が上記データをモニタするステップとを含む通信モニタ方法が実現されている。
【００３６】
このように、無音部分の検出に応答して、データの宛先アドレスを、通信モニタ装置を経由するアドレスに変更することにより、通信モニタ装置においては、アドレスの変更によって切替えられた通信パスを介してデータをモニタすることができ、しかもパス切替えによってパケットデータの遅延が生じることはなく、品質劣化しない。
【００３７】
２．マルチキャスト機能の利用
ルータのマルチキャスト機能を利用することにより、本来の音声通話上のパスの他に、モニタ受信装置へのパスへパケットデータを送信し、モニタする場合について図５を参照して説明する。
同図においては、アクセスルータ５１〜５４を有するＩＰ網１００と、アクセスルータ５１と通信を行う交換機２２と、アクセスルータ５２と通信を行う無線アクセス装置２４と、アクセスルータ５３と通信を行う基地局２５と、アクセスルータ５４と通信を行うモニタ受信装置３１と、携帯電話端末等の移動可能な移動端末４１とによって通信システムが構成されている。
【００３８】
（送信先アドレス、マルチキャストグループアドレス）
ここでは、事前に各ルータにマルチキャストする装置のグループアドレスが設定し、モニタポイントとなる装置ごとのマルチキャストグループアドレス一覧表をモニタ受信装置３１が保持していることを前提とする。マルチキャストグループアドレス一覧表２００は、例えば、同図に示されているように、マルチキャストグループアドレス「ＹＹＹＹ」に対して、対象装置のＩＰアドレスが「ＢＢＢＢ」と「ＤＤＤＤ」である。
【００３９】
「送信先アドレス」は、次ノードのアドレスであり、ＩＰアドレスとＵＤＰポート番号とによって構成される。
「マルチキャストグループアドレス」は、クラスＤのＩＰアドレスを使用し、先頭から４ビットまでが「１１１０」である。そして、残りの２８ビットがマルチキャストの対象となるグループ番号となる。データは、グループに所属する全てのグループメンバーに配信される。
【００４０】
ＩＰｖ４の場合のＩＰアドレスは、３２ビットの正数値で表現される。ＩＰアドレスは、クラスＡからクラスＤまでの４つに分類される。クラスＡの場合、先頭１ビットが「０」で始まり、先頭から８ビットまでがＩＰネットワークアドレス部、残りの下位２４ビットがＩＰホストアドレス部である。ＩＰホストアドレス部は、ＴＣＰ／ＩＰを利用して通信を行う機器を特定するアドレスである。
クラスＤの場合、先頭４ビットが「１１１０」で始まり、先頭から３２ビットまでの全てがＩＰネットワークアドレス部で、ＩＰホストアドレス部は存在しない。このクラスＤは、マルチキャスト通信に使用される。
ヘッダの宛先アドレス（Ｄ−ＩＰ）は「ＡＡＡＡ」、送信元アドレス（Ｓ−ＩＰ）は「ＣＣＣＣ」、ＵＤＰは、「Ｘ」である。
【００４１】
（システム各部の処理）
（６−１）モニタ受信装置３１からコマンド等により、交換機２２に対してモニタ起動要求を送信する（Ｓ４１）。その際、モニタしたい移動端末４１の加入者電話番号を指定して呼情報を収集し、またモニタしたい装置（ここでは無線アクセス装置２４）のＩＰアドレスを指定し、モニタ受信装置３１に記憶させる。なお、呼情報は、ＵＤＰ（Ｕｓｅｒ  Ｄａｔａｇｒａｍ  Ｐｒｏｔｏｃｏｌ）、及び、ＩＰ（Ｉｎｔｅｒｎｅｔ  Ｐｒｏｔｏｃｏｌ）から構成される。
【００４２】
（６−２）呼情報を収集したモニタ受信装置３１は、送信先ＩＰアドレスとモニタしたい無線アクセス装置２４のＩＰアドレスとが等しければ、無線アクセス装置２４に対して加入者のＵＤＰ番号を指定し、マルチキャストグループアドレス一覧表より、グループアドレスを「ＹＹＹＹ」に設定し、データを送信することを指示する（Ｓ４２）。一方、収集した呼情報の送信先ＩＰアドレスとモニタしたい装置のＩＰアドレスとが一致しないならば、次の送信先ＩＰアドレス、ＵＤＰを収集する。
【００４３】
（６−３）モニタ受信装置３１からマルチキャストの指示を受けた無線アクセス装置２４は、データパケットのヘッダに記述されている送信先アドレス（Ｄ−ＩＰ）である「ＡＡＡＡ」を、マルチキャストグループアドレス「ＹＹＹＹ」に変換し、アクセスルータ５２に送信する（Ｓ４３）。
（６−４）このデータパケットを受信したアクセスルータ５２は、変換後の宛先アドレス「ＹＹＹＹ」に基づき、マルチキャストグループ内の装置にデータパケットをマルチキャスト送信する（Ｓ４４）。
【００４４】
以上のように、アクセスルータのマルチキャスト機能を利用し、交換機から呼情報を収集してモニタ受信装置から無線装置に指示を出すことにより、ユーザーに対する通信品質を保持したままパスを切替え、通信モニタを行うことができる。なお、移動端末４１の代わりに移動できない固定端末を利用した場合でも、以上説明した通信モニタシステムが適用できることは明白である。
【００４５】
３．マルチキャストを利用したハンドオーバーへの対応
モニタ通信中に移動端末４１が異なるエリアにハンドオーバーした場合でも、引き続きモニタ通信を実現する場合について、図６を参照して説明する。
同図においては、アクセスルータ５１〜５６を有するＩＰ網１００と、アクセスルータ５１と通信を行う交換機２２と、アクセスルータ５２と通信を行う無線アクセス装置２４と、アクセスルータ５３と通信を行う基地局２５と、アクセスルータ５５と通信を行う無線アクセス装置２６と、アクセスルータ５６と通信を行う基地局２７と、アクセスルータ５４と通信を行うモニタ受信装置３１と、携帯電話端末等の移動可能な移動端末４１とによって通信システムが構成されている。
【００４６】
ここでは、図５の場合と同様に、事前に各ルータにマルチキャストする装置のグループアドレスが設定され、モニタポイントとなる装置ごとのマルチキャストグループアドレス一覧表をモニタ受信装置３１が保持していることを前提とする。マルチキャストグループアドレス一覧表３００は、例えば、同図に示されているように、マルチキャストグループアドレス「ＹＹＹＹ」に対して、対象装置ＩＰが「ＢＢＢＢ」と「ＤＤＤＤ」である。また、マルチキャストグループアドレス「ＺＺＺＺ」に対して、対象装置ＩＰが「ＦＦＦＦ」と「ＤＤＤＤ」である。
【００４７】
（７−１）無線アクセス装置２４と基地局２５との間のモニタ中に、移動端末４１が基地局２５のエリアから基地局２７のエリアにハンドオーバーしたとする（Ｓ５１）。つまり、異なるエリアにハンドオーバーしたとする。
（７−２）このハンドオーバーの後、移動端末４１は、新たな位置情報を交換機２２へ送信する（Ｓ５２）。
（７−３）交換機２２は、新たな位置情報を元に送信ルートを変更する（Ｓ５３）。
（７−４）交換機２２は、モニタポイントが無線アクセス装置２４から無線アクセス装置２６に変更になったこと（新ＩＰ、ＵＤＰ）を、モニタ受信装置３１に対して通知する（Ｓ５４）。
【００４８】
（７−５）モニタ受信装置３１は、無線アクセス装置２６に対して加入者のＵＤＰ番号を指定し、マルチキャストグループ一覧表よりグループアドレスを「ＺＺＺＺ」に設定し、データを送信することを指示する（Ｓ５５）。
（７−６）モニタ受信装置３１からマルチキャストの指示を受けた無線アクセス装置２６は、データの送信先アドレスをマルチキャストグループアドレス「ＺＺＺＺ」に変換し、アクセスルータ５５に送信する（Ｓ５６）。
（７−７）このデータパケットを受信したアクセスルータ５５は、変換後の宛先アドレス「ＺＺＺＺ」に基づき、マルチキャストグループ内の装置にデータパケットをマルチキャスト送信する（Ｓ５７）。
【００４９】
以上のように、アクセスルータのマルチキャスト機能を利用し、交換機から呼情報を収集してモニタ受信装置から無線装置に指示を出すことにより、移動端末がハンドオーバーを行った場合においても、ユーザーに対する通信品質を保持したままパスを切替え、通信モニタを行うことができる。
【００５０】
（まとめ）
通信モニタ機能を別装置に集中配備することで、設備コストを削減できる。また、無音部分を検出してパス切替えを行うことにより、ユーザーに対する通信品質を保持したままパス切替えを行うことができる。また、無線ネットワーク側では加入者の呼情報が分からないため、無線装置についてはモニタできないという懸念があるが、マルチキャスト機能を用いてモニタ通信を実現することにより、交換機から呼情報を収集しモニタ受信装置から無線装置に指示を出すことで通信モニタを行うことができる。
【００５１】
（通信モニタ方法）
以上説明した「２．」の通信モニタシステムにおいては、以下のような通信モニタ方法が実現されている。すなわち、通信パスを介して授受されるデータをモニタする通信モニタ方法であり、モニタすべきデータが経由するノードに関する呼情報を取得する呼情報取得ステップと、上記呼情報取得ステップにおいて取得した呼情報を用いて上記データの宛先アドレスを、通信モニタ装置のアドレスを含むマルチキャストアドレスに変換するアドレス変換ステップと、マルチキャスト送信されるデータをモニタするステップとを含む通信モニタ方法が実現されている。このように、取得した呼情報を用いてデータの宛先アドレスを、通信モニタ装置のアドレスを含むマルチキャストアドレスに変換することにより、通信モニタ装置においては、マルチキャスト送信されるデータをモニタすることができる。
【００５２】
そして、「３．」の通信モニタシステムでは、上記アドレス変換ステップにおいて、モニタすべきデータを受信する移動端末のハンドオーバーに伴って通知される情報に応じて、上記データの宛先アドレスを新たなマルチキャストアドレスに変換している。このため、通信モニタの最中に、移動端末がハンドオーバーすることによって異なるエリアに位置することとなっても、ハンドオーバーに伴って移動端末から通知される情報に応じて、データの宛先アドレスを新たなマルチキャストアドレスに変換することにより、通信モニタを継続することができる。
【００５３】
（他の実施態様）
請求項の記載に関し、本発明は更に以下の態様をとりうる。
（１）データを処理する交換機とは異なる通信モニタ機能を集中配備する通信モニタ装置で通信モニタを実現する通信モニタ方法であって、モニタ受信装置からモニタ可能なパス情報を交換機に要求し、回答を取得するステップと、該当パスに対しモニタ受信装置が交換機ヘモニタしたいパス情報が含まれているモニタ起動要求を送信するステップと、通信モニタ装置への送信パスおよび通信モニタ装置からの受信パスを含む交換機から通信モニタ装置ヘモニタ起動応答を返信し、モニタ受信装置ヘモニタ起動応答の送信をするステップと、通信モニタ装置を経由するモニタ用パスの設定完了後、通信モニタ装置への送信パスを含む交換機で無音パターンの通信データが検出された後、交換機からパスを切替えて通信データを通信モニタ装置に送信するステップと、通信モニタ装置でコピーし、モニタ受信装置および通信モニタ装置からの受信パスを含む交換機に送信するステップと、通信モニタ装置からの受信パスを含む交換機で通信モニタ切替え前通信データと通信モニタ切替え後通信データの順序制御を行うステップとを含むことを特徴とする移動通信方法。
【００５４】
（２）データを処理する交換機とは異なる通信モニタ機能を集中配備する通信モニタ装置で通信モニタを実現する移動通信システムにおいて、モニタ可能なパス情報の収集および該当するパスに対しモニタ起動要求を行い、パス切替えされた通信データを受信するモニタ受信装置と、モニタ可能通信パス検索および該当するパスへのモニタ起動要求を受信しモニタ起動応答を送信し、無音パターンの通信データを検出した後に、宛先アドレス変更を行い、通信パスを通信モニタ装置へ切替え、通信データを通信モニタ装置へ送信する通信モニタ装置への送信パスを含む交換機と、モニタ起動応答後に受信する通信データをコピーし通信モニタ装置からの受信パスを含む交換機およびモニタ受信装置へ送信する通信モニタ装置と、モニタ可能通信パス検索および該当するパスへのモニタ起動要求とモニタ起動応答から宛先アドレス変更を行い、通信パスを通信モニタ装置へ切替え、通信モニタ切替え前通信データと通信モニタ切替え後通信データの順序制御を行い、次交換機に送信する通信モニタ装置からの受信パスを含む交換機とを備えたことを特徴する通信モニタシステム。
【００５５】
（３）上記通信モニタ装置への送信パスを含む交換機は、通信モニタ可能な該当パスに対応する加入者情報を加入者情報テーブルにアクセスし、取得した該当パスを設定する。交換機の無音パターン高速検出回路にて無音パターンの通信データを検出した後に、宛先アドレスを通信モニタ装置宛に変更の指示をする制御部と制御部の指示を契機に宛先アドレスを通信モニタ装置宛に変更して送信するバッファ部とを備えたことを特徴とする（２）の通信モニタシステム。
【００５６】
（４）上記通信モニタ装置は、通信モニタ装置への送信パスを含む交換機から指示を受け、通信モニタ装置の出力側パスに宛先アドレス情報設定をバッファ部に指示する制御部と、交換機への出力側パスとモニタ受信側パスに通信データをコピーし、制御部から指示を受け宛先アドレスを設定するバッファ部とを備えたことを特徴とする（２）の通信モニタシステム。
【００５７】
（５）上記通信モニタ装置からの受信パスを含む交換機は、通信モニタ可能な該当パスに対応する加入者情報テーブルにアクセスし、該当する宛先アドレスを検索し、モニタ切替後のパスを決定する制御部と、制御部の指示を契機に、受信データのシーケンスナンパを比較し、順番どおりに送信するバッファ部とを備えたことを特徴とする（２）の通信モニタシステム。
【００５８】
（６）ルータのマルチキャスト機能を利用し通信モニタを実現する通信モニタ方法であって、モニタ受信装置からモニタ可能なパスの呼情報を交換機に要求し、回答を取得するステップと、モニタ受信装置は取得した呼情報とマルチキャストグループアドレス一覧表とからモニタポイントとなる装置（無線アクセス装置）を決定するステップと、モニタ受信装置から無線アクセス装置に対してＵＤＰを指定し該当するデータの送信先アドレスをマルチキャストグループアドレスに変換して送信することを指示するステップと、無線アクセス装置はデータの送信先アドレスをマルチキャストグループアドレスに変換してアクセスルータに送信するステップと、アクセスルータは受信したデータの送信先アドレスより該当する装置（基地局・モニタ受信装置）に対してマルチキャスト送信するステップ都を含むことを特徴とする移動通信方法。
【００５９】
（７）ルータのマルチキャスト機能を利用し通信モニタを実現する移動通信システムであって、モニタ可能なパスの呼情報を交換機から収集し、モニタポイントとなる装置（無線アクセス装置）のＩＰアドレスを記憶し、データの送信先ＩＰアドレスとモニタポイントとなる無線アクセス装置のＩＰアドレスを比較し一致すれば無線アクセス装置に対してマルチキャストグループアドレス一覧表よりデータの送信先アドレスをマルチキャストグループアドレスに変換し送信することを加入者のＵＤＰを指定して指示を行うモニタ受信装置と、モニタ受信装置からモニタ起動要求を受信し、指定された加入者の呼情報（ＩＰ、ＵＤＰ）をモニタ受信装置に送信する交換機と、モニタ受信装置から指定されたＵＤＰのデータに対して送信先アドレスをマルチキャストグループアドレスに変換してアクセスルータに送信する指示に基づいてデータをアクセスルータに送信する無線アクセス装置とデータの送信先アドレスからマルチキャストグループ内の装置（無線アクセス装置、モニタ受信装置）にマルチキャスト送信するアクセスルータ都を含むことを特徴とする通信モニタシステム。
【００６０】
（８）ルータのマルチキャスト機能を利用し通信モニタを実現するなかでモニタ通信中に移動端末が異なるエリアにハンドオーバーした際に引き続きモニタ通信が可能となる通信モニタ方法であって、移動端末がハンドオーバーした際に移動端末は交換機に対して新位置情報を送信するステップと、交換機は新位置情報を元に送信ルートを変更しデータを送信するステップと、交換機はモニタ受信装置に対してモニタポイント（ＩＰ、ＵＤＰ）が変更になったことを通知するステップと、モニタ受信装置は新アクセスポイントとなる装置（無線アクセス装置）に対してＵＤＰを指定し該当するデータの送信先アドレスをマルチキャストグループアドレスに変換して送信することを指示するステップと、無線アクセス装置はデータの送信先アドレスをマルチキャストグループアドレスに変換してアクセスルータに送信するステップと、アクセスルータは受信したデータの送信先アドレスより該当する装置（基地局・モニタ受信装置）に対してマルチキャスト送信するステップとを含むことを特徴とする通信モニタ方法。
【００６１】
（９）ルータのマルチキャスト機能を利用し通信モニタを実現するなかでモニタ通信中に移動端末が異なるエリアにハンドオーバーした際に引き続きモニタ通信が可能となる通信モニタシステムであって、通信中に異なるエリアにハンドオーバーした際に交換機に新位置情報を送信する移動端末と、新位置情報を基にデータの送信ルートを変更しモニタ受信装置に対してモニタポイント（ＩＰ、ＵＤＰ）が変更になったことを通知する交換機と、新モニタポイントとなる装置（無線アクセス装置）に対してマルチキャストグループアドレス一覧表よりデータの送信先アドレスをマルチキャストグループアドレスに変換し送信することを加入者のＵＤＰを指定して指示を行うモニタ受信装置と、モニタ受信装置から指定されたＵＤＰのデータに対して送信先アドレスをマルチキャストグループアドレスに変換して送信する指示に基づいてデータをアクセスルータに送信する無線アクセス装置とデータの送信先アドレスからマルチキャストグループ内の装置（無線アクセス装置、モニタ受信装置）にマルチキャスト送信するアクセスルータとを含むことを特徴とする通信モニタシステム。
【産業上の利用可能性】
【００６２】
本発明は、通信品質の劣化を招かずに、通信モニタを実現する場合に適用することができる。また、移動端末がハンドオーバーした場合でも通信モニタを継続することができる。
【図面の簡単な説明】
【００６３】
【図１】無音検出方式を利用した通信モニタシステムの構成例を示す図である。
【図２】加入者情報テーブルの例を示す図である。
【図３】無音検出方式を利用した通信モニタシステムの構成例を示す図である。
【図４】無音検出方式を利用した通信モニタシステムの構成例を示す図である。
【図５】マルチキャスト方式を利用した通信モニタシステムの構成例を示す図である。
【図６】マルチキャスト方式を利用した通信モニタシステムの構成例を示す図である。
【図７】パケット通信に利用される通信パスをモニタする場合の一般的な例を示す図である。
【図８】通信モニタの開始後の通信状態を示す図である。
【図９】通信モニタ装置へデータパケットが送信される様子を示す図である。
【符号の説明】
【００６４】
１１、１４  端末装置
２２、２３  交換機
２４、２６  無線アクセス装置
２５、２７  基地局
３１  モニタ受信装置
３２  通信モニタ装置
４１  移動端末
５１〜５６  アクセスルータ
１００  ＩＰ網
２００、３００  マルチキャストグループアドレス一覧表
２２１、２３１、３２１  入力インタフェース
２２２、２３２、３２２  バッファ
２２３、２３３、３２３、３２６  出力インタフェース
２２４、２３４、３２４  制御部
２２５、２３５  加入者情報テーブル
２２６  無音パターン高速検出回路
３２５  コピー部
【図１】
2006074364.tif 000003
【図２】
2006074364.tif 000004
【図３】
2006074364.tif 000005
【図４】
2006074364.tif 000006
【図５】
2006074364.tif 000007
【図６】
2006074364.tif 000008
【図７】
2006074364.tif 000009
【図８】
2006074364.tif 000010
【図９】
2006074364.tif 000011